(57)【要約】      （修正有）【課題】加工コストを最小化し、リールフレームの外観をより容易に面取り加工、特に内面取り加工して曲線化することができるようにした釣り用リールフレームを提供する。【解決手段】パームサイド第１パネル１０、ギアサイド第２パネル２０、前記第１パネル１０と前記第２パネルと２０の間に配列されたスプール配置空間部３０及び前記空間部３０を保持し、前記第１パネル１０と前記第２パネル２０とを連結し、釣り竿装着部材が結合される第１リブ４１を有する連結部４０を含んでなり、前記第１及び第２パネル１０、２０の内周縁の内面取り部１１，２１の形成用旋盤加工のために前記第１及び第２パネル１０，２０それぞれと前記第１リブ４１との間にリセスｒを形成するように、前記第１リブ４１は、ボディおよび該ボディの両側の折曲端部を有することを特徴とする釣り用リールフレーム。【選択図】図３
2016082972.tif 000002
【特許請求の範囲】
【請求項１】
パーム（ｐａｌｍ）サイド第１パネル；
ギア（ｇｅａｒ）サイド第２パネル；
前記第１パネルと前記第２パネルとの間に配列されたスプール配置空間部；及び
前記空間部を保持し、前記第１パネルと前記第２パネルとを連結し、釣り竿装着部材が結合される第１リブを有する連結部；を含んでなり、
前記第１及び第２パネルの内周縁の内面取り部形成用旋盤加工のために前記第１及び第２パネルそれぞれと前記第１リブとの間にリセスを形成するように、前記第１リブは、ボディおよび該ボディの両側の折曲端部を有することを特徴とする、釣り用リールフレーム。
【請求項２】
前記連結部は、前記第１リブから離隔し、ボディ及び該ボディの両端部のリセス形成用折曲端部を有する補強用の第２リブ、または第２リブ及び第３リブをさらに含むことを特徴とする、請求項１に記載の釣り用リールフレーム。
【請求項３】
側面観察の際に、前記第１パネルは前記第２パネルよりも面積が小さいことを特徴とする、請求項１又は請求項２に記載の釣り用リールフレーム。
【発明の詳細な説明】
【技術分野】
【０００１】
本発明は、加工性が向上した釣り用リールフレームに係る。より詳しくは、切削工具が回転・移動し且つ相対的に加工費が高価になるフライス加工（ｍｉｌｌｉｎｇ）部位を減らす代わりに、工作物が回転し、切削工具が移動し且つ相対的に加工費が安価である旋盤加工部位を最大化することにより、釣り用リールフレームの加工性及び生産性を高めるものの、加工コストは最小化し、使用者の手や身体が触れる釣り用リールフレームの外観をより容易に面取り加工、特に内面取り加工して曲線化できるようにしてグリップ感及び把持安定性を向上させた釣り用リールフレームに関する。
【背景技術】
【０００２】
ベイト（ｂａｉｔ）リールなどのように比較的小さな魚釣り用リールは合成樹脂射出部品とダイカストフレームを採用する。これに対し、比較的大きな魚釣り用トローリング（ｔｒｏｌｌｉｎｇ）（またはジギング（ｊｉｇｇｉｎｇ））リールはアルミニウムまたはアルミニウム合金などの金属塊（棒状塊など）を切削加工して作製する高強度のフレームを採用する。
【０００３】
従来の釣り用リール、特にトローリングリールに関連した技術としては、特許文献１（登録日：２００７年７月４日）の「両ベアリングリール」がある。この特許文献１は、釣り師と連結するためのハーネスを装着可能な両ベアリングリールにおいて、ハーネス使用時の釣り師への負担を軽減させる技術を提示している。
【０００４】
また、特許文献２（登録日：２０１２年１２月２４日）の「デュアルベアリングリールのドラッグ調整装置」がある。この特許文献２は、デュアルベアリングリールのリール本体に対して回転可能なスプールを制動するレバードラッグ機構のドラッグ力を調整するデュアルベアリングリールのドラッグ調整装置を提示している。
【０００５】
また、特許文献３（公開日：２０１０年５月２８日）の「デュアルベアリングリールのドラッグ調整装置」がある。この特許文献３は、ドラッグ（ｄｒａｇ）調整装置、特にデュアルベアリングリールのリール本体に対して回転可能なスプールを制動するドラッグ機構のドラッグ力を調整するデュアルベアリングリールのドラッグ調整装置を提案している。
【０００６】
また、特許文献４（登録日２０１４年３月７日）の「釣り用リール」がある。この特許文献４は、ハンドル操作によってドラッグ力を調節することができるため、釣り糸に過度な張力がかかるときに釣り糸が切れることを防止することができ、スプールのバックラッシュによるパーマ現象（釣り糸のもつれ）を防止することができる釣り用リールを提案している。
【０００７】
ところが、これらの従来技術はいずれも、釣り用リールフレームの切削加工特性とは無関係な技術である。
【先行技術文献】
【特許文献】
【０００８】
【特許文献１】韓国特許登録第１０−０７３７８８３号公報
【特許文献２】韓国特許登録第１０−１２１７１５６号公報
【特許文献３】韓国特許公開第１０−２０１０−００５６９６６号公報
【特許文献４】韓国特許登録第１０−１３７４２３５号公報
【発明の概要】
【発明が解決しようとする課題】
【０００９】
そこで本発明は、切削工具が回転・移動し且つ相対的に加工費が高価になるフライス加工（ｍｉｌｌｉｎｇ）部位を減らす代わりに、工作物が回転し、切削工具が移動し且つ相対的に加工費が安価である旋盤加工部位を最大化することにより、釣り用リールフレームの加工性及び生産性を高めるものの、加工コストは最小化し、使用者の手や身体が触れるリールフレームの外観をより容易に面取り加工、特に内面取り加工して曲線化できるようにした釣り用リールフレームを提供することを目的とする。
【００１０】
また本発明は、パーム（ｐａｌｍ）サイド第１パネルとギア（ｇｅａｒ）サイド第２パネルとの間に、スプール配置空間部を保持する連結部として釣り竿装着部材結合用の第１リブや補強用の第２または第３リブが備えられる場合、
アルミニウムなどの金属塊を回転させながら切削工具を移動させて身体との接触部位を曲線旋盤加工するにあたり、
主加工対象である第１及び第２パネルの加工角部、すなわち面取り部のうち、外面取り部に比べて相対的に加工が難しく且つ空間部と接する内面取り部の旋盤加工のために、第１〜第３リブがボディ及び該ボディの両端部の第１及び第２パネル結合用折曲端部を有する構造で構成し、
この折曲端部と第１及び第２パネルとの間にリセス（窪んだところ）が形成されるようにし、このリセスにより、旋盤加工用切削工具が回転する金属塊のうち、第１及び第２パネルの内面取り部を曲線加工するように接近することができて、旋盤加工の面取り部位を最大化した釣り用リールフレームを提供することを目的とする。
【００１１】
さらに本発明は、側面観察の際に、第１パネルの面積を第２パネルの面積より小さくすることにより、使用者が容易にリールフレームを掴んで様々な作業を行うことができるようにした釣り用リールフレームを提供することを目的とする。
【課題を解決するための手段】
【００１２】
上記目的を達成するために、本発明に係る加工性が向上した釣り用リールフレームは、
パーム（ｐａｌｍ）サイド第１パネル；ギア（ｇｅａｒ）サイド第２パネル；前記第１パネルと前記第２パネルとの間に配列されたスプール配置空間部；及び前記空間部を保持し、前記第１パネルと前記第２パネルとを連結し、釣り竿装着部材が結合される第１リブを有する連結部；を含んでなり、
前記第１及び第２パネルの内周縁の内面取り部形成用旋盤加工のために、前記第１及び第２パネルそれぞれと前記第１リブとの間にリセスを形成するように、前記第１リブは、ボディ及び該ボディの両側の折曲端部を有することを特徴とする。
【００１３】
また、本発明に係る加工性が向上した釣り用リールフレームにおいて、
前記連結部は、前記第１リブから離隔し、ボディ及び該ボディの両端部のリセス形成用折曲端部を有する補強用の第２リブ、または第２リブ及び第３リブをさらに含み、
側面観察の際に、前記第１パネルは前記第２パネルよりも面積が小さく、
前記第１リブには、釣り竿装着部材の収容される陥没部が形成されていることが好ましい。
【発明の効果】
【００１４】
本発明に係る加工性が向上した釣り用リールフレームは、パーム（ｐａｌｍ）サイド第１パネルとギア（ｇｅａｒ）サイド第２パネルとの間にスプール配置空間部を保持する連結部として、釣り竿装着部材結合用の第１リブや補強用の第２または第３リブが備えられる場合、
アルミニウムなどの金属塊を回転させながら切削工具を移動させて身体との接触部位を曲線旋盤加工するにあたり、
主加工対象である第１及び第２パネルの加工角部、すなわち面取り部のうち、外面取り部に比べて相対的に加工が難しく且つ空間部と接する内面取り部の旋盤加工のために
第１〜第３リブがボディ及び該ボディの両端部の第１及び第２パネル結合用折曲端部を有する構造で構成し、この折曲端部と第１及び第２パネルとの間にリセスが形成されるようにし、このリセスにより、旋盤加工用切削工具が、回転する金属塊のうち第１及び第２パネルの内面取り部を曲線加工するように接近することができて旋盤加工の面取り部位を最大化することができる。
【００１５】
また、側面観察の際に、第１パネルの面積を第２パネルの面積より小さくすることにより、使用者が容易にリールフレームを掴んで様々な操作を行うことができるように把持特性を大幅に向上させることができる。
【００１６】
さらに、本発明によれば、切削工具が回転・移動しかつ相対的に加工費が高価になるフライス加工（ｍｉｌｌｉｎｇ）部位を減らす代わりに、工作物が回転し、切削工具が移動し且つ相対的に加工費が安価である旋盤加工部位を最大化することにより、釣り用リールフレームの加工性及び生産性を高めるものの、加工コストは最小化し、使用者の手や身体が触れるリールフレームの外観をより容易に面取り加工、特に内面取り加工して曲線化することができる。
【図面の簡単な説明】
【００１７】
【図１】本発明に係る釣り用リールの斜視図である。
【図２】本発明に係る釣り用リールの斜視図である。
【図３】本発明に係る釣り用リールフレームを示す図である。
【図４】本発明に係る釣り用リールフレームを示す図である。
【図５】本発明に係る釣り用リールフレームを示す図である。
【図６】本発明に係る釣り用リールフレームを示す図である。
【発明を実施するための形態】
【００１８】
以下、添付図面を参照して本発明を詳細に説明する。
本発明は多様な変更を加えることができ、様々な形態を持つことができるもので、その具現例（態様、ａｓｐｅｃｔ）（または実施例）をここに詳細に説明する。しかし、これは本発明を特定の開示形態に限定しようとするものではなく、本発明の思想及び技術範囲に含まれるすべての変更、均等物または代替物を含むものと理解されなければならない。
【００１９】
各図面において、同一の参照符号、特に十の桁及び一の桁、または十の桁、一の桁及びアルファベットが同じ参照符号は同一または類似の機能を持つ部材を示し、特に言及がない場合、図面の各参照符号が指す部材はこのような基準に準ずる部材と把握すればよい。
また各図面において、構成要素は、理解の便宜などのために、大きさや厚さを誇張して大きく（または厚く）或いは小さく（または薄く）表現しているか単純化して表現しているが、これによって本発明の保護範囲が制限されるものと解釈されてはならない。
【００２０】
本明細書で使用する用語は、特定の具現例（または実施例）を説明するために使用されたもので本発明を限定しようとするものではない。単数の表現は、文脈上特に明記しない限り複数の表現を含む。本出願において、「含む」または「からなる」などの用語は明細書上に記載した特徴、数字、段階、動作、構成要素、部分品またはこれらの組み合わせが存在することを指すものであり、一つまたはそれ以上の他の特徴、数字、段階、動作、構成要素、部分品またはこれらの組み合わせなどの存在または付加の可能性を予め排除しないものと理解されなければならない。
【００２１】
特に他に定義しない限り、技術用語や科学用語を含み、ここで使われるすべての用語は本発明の属する技術分野における通常の知識を有する者によって一般的に理解されるものと同じ意味を持っている。一般的に使われる辞典に定義されている用語は、関連技術の文脈上で持つ意味と一致する意味を持つものと解釈されなければならず、本明細書で明らかに定義しない限り、理想的な意味または過度に形式的な意味で解釈されない。
本明細書において、公知の機能及び構成についての具体的な説明が本発明の要旨を不明にするおそれがあると判断された場合、それに関する説明は省略することができる。
本明細書に開示された「第１」、「第２」、「第３」などは互いに異なる構成要素を区分するために指すものに過ぎず、製造順に限定されず、発明の詳細な説明及び請求の範囲においてその名称が一致しないこともある。
【００２２】
本発明に係る加工性が向上した釣り用リールＲフレームＦを説明するにあたり、便宜上、厳しくない概略の方向基準を図１〜図６を参照して特定すれば、図示のままの状態で、パームサイド第１パネル１０及びギアサイド第２パネル２０側を外側と定め、スプールＳ配置空間部３０側を内側と定め、他の図面に関連した発明の詳細な説明及び請求の範囲においても、特に言及がない限り、この基準に基づいて方向を特定して記述する。
【００２３】
まず、図１〜図６に示すように、本発明に係る加工性が向上した釣り用リールフレームＦを備えたリールＲは、フレームＦ、スプールＳ、及びスプール回転用ハンドルＨから構成される（その他にドラッグパワー調節機構など、通常の釣り用リール関連部品に関する説明は省略する）。
【００２４】
また、本発明の釣りリールＲは、リールを釣り竿に固定するための足部、すなわち釣り竿装着部材ＭがフレームＦの連結部４０の第１リブ４１にリベッティングなどの方式で結合され、また、釣り針などの仕掛けが水草や水中の岩などの障害物に引っ掛かったとき、強制脱出したり釣り糸を切って保全したりしようとする場合、釣り竿を握って強制的に引き寄せる力にも、スプールが押し付けられて釣り糸が繰り出されないようにするロック部Ｌを構成するボタンＬ１がパーム（ｐａｌｍ）サイド第１パネル１０に配列されていることを確認することができる。
【００２５】
次に、本発明の核心をなす、加工性が向上したリールフレームＦは、第１パネル１０、第２パネル２０、スプール配置空間部３０、及び空間部を保持した状態で両方のパネルをつなぐ第１リブ４１を有する連結部４０を含んでなる。
【００２６】
本明細書及び請求の範囲において、本フレームＦは、ベイト（ｂａｉｔ）リールなどに比べて相対的に大きな魚釣り用トローリング（ｔｒｏｌｌｉｎｇ）（またはジギング（ｊｉｇｇｉｎｇ））リールの改善された加工技法及びこのためのフレームの構造を中心に説明するが、必要に応じては、ダイカストフレームの後加工技法としても活用できるものであって、切削加工の原材料によって本発明が制限されてはならない。
また、「ギア（ｇｅａｒ）サイド」第２パネル２０とは、ハンドルＨとスプールＳとを連結する様々な中継ギア部品が内蔵される部位であるため、当該分野で一般的に指す用語である。
「パーム（ｐａｌｍ）サイド」第１パネル１０とは、釣り活動の際にリールＲの第１パネル１０を主に手で掴んで（手のひら接触部位）釣り竿と一緒に操作するので、当該分野で一般的に指す用語である。
【００２７】
また、使用者が容易にリールフレームを掴んで釣り活動などの様々な作業を行う場合、より操作性、グリップ感、把持容易性などの特性を確保及び向上させるために、側面観察の際に、第１パネル１０は第２パネル２０よりも面積が小さいことが好ましい。
第１パネル１０と第２パネル２０との間に配列・軸設されたスプールＳ配置空間部３０を保持する連結部４０は、基本的に、第１パネルと第２パネルとを連結し、釣り竿装着部材Ｍが結合される第１リブ４１を含むが、
この第１リブには、釣り竿装着部材Ｍが収容されて接触面積を広めることで結合状態の安定性を高める陥没部４１ａ、及びリベッティングなどの方式で装着部材を締結するための固定孔４１ｂが設けられている。
前記第１リブは、肉抜きのために中間に切削通孔が設けられており、２つの分体に分離されている。
【００２８】
また、連結部４０は、補強用の第２リブ４３、または第２リブ４３及び第３リブ４５をさらに含むが、これらのリブは第１リブ４１から離隔している。
第１乃至第３リブは、釣り竿装着部材Ｍが備えられた下部側に偏っており、上部側は、釣り糸のスプールＳからの繰り出しまたはスプールへの巻取り空間を確保するように相対的に開放された構造を持つ。
さらに、フレームＦ加工の際に手のひらなどの手その他の身体部位に接触する外面はなるべく曲面を有することが好ましく、特に角部位は面取り（ｃｈａｍｆｅｒ）加工を介して外面をなめらかに製造することが好ましい。
【００２９】
このため、フレーム製造の際にアルミニウムまたはアルミニウム合金などの金属塊（棒状塊など）などを切削加工するが、その工法としては旋盤加工とフライス加工がある。旋盤加工は、工作物が回転し、切削工具の移動を介して加工するので、チャックなどに固定されて回転する加工物の外面を対称となるように円形加工することに適し、相対的に加工費が安価である。これに比べて、フライス加工（ｍｉｌｌｉｎｇ）は、工作物を固定した状態で切削工具の回転及び移動を介して加工するので、直線及び曲線形状の加工が可能であり、相対的に加工時間がかかり、加工費が高価になる。
【００３０】
従来の一般な釣り用リールフレームにおいても、パーム（ｐａｌｍ）サイド第１パネル１０及びギア（ｇｅａｒ）サイド第２パネル２０の外側エッジ加工部、すなわち外面取り部１３、２３の形成のために旋盤加工することは大きな問題がなかった。しかし、空間部３０に接する第１パネル１０及び第２パネル２０の内側エッジ加工部、すなわち内面取り部１１、２１は、工作物の回転時に連結部４０を構成する各リブ４１、４３、４５に起因する干渉によって旋盤加工が不可能であって、いちいちフライス加工を行わなければならない部位に該当する。
【００３１】
これを解決するために、本発明のフレームＦでは、各リブ４１、４３、４５の形状が最終的にボディＢと該ボディの両側の折曲端部ｂからなり、この折曲端部が第１及び第２パネルの内側に連結されて空間部３０を保持する構造となるように構成した。
したがって、金属塊（棒状塊など）をまず旋盤加工して全体的な輪郭、特に設計形状に合わせて第１及び第２パネル１０、２０の内外面取り部１１、２１、１３、２３を形成し、また、連結部を構成する各リブ４１、４３、４５の外面形状（すなわち、内面取り部１１、２１の形成のための旋盤加工用切削工具チップの進入を保障するリセスｒまで形成する形状であって、最終的にリセスｒは各リブのボディＢの両側の折曲端部ｂの外側を構成し、リセスｒを挟んで第１及び第２パネル１０、２０は内面取り部１１、２１が形成されて内外全体的に曲面形状を持つ）まで形成する。
【００３２】
続いて、自体的に回転及び移動するフライス加工の切削工具を用いて空間部３０を形成し、各リブ４１、４３、４５が別々に分離された形で加工されるようにして、各リブの空間部に接する面を加工する。
このようにスプールＳの設置方向と平行な方向に加工回転軸が構成されるように、旋盤のチャックに材料（金属塊（棒状塊など）など）たる工作物を固定し、回転しながら旋盤加工用切削工具を移動させて、第１及び第２パネル１０、２０の内外面取り部１１、２１、１３、２３を含む全体外郭形状を、加工回転軸を中心に円形をなす形状に１次的に旋盤加工し、
その後、１次旋盤加工時の加工回転軸に対して交差軸方向または食い違い軸方向に回転及び移動するフライス加工の切削工具を用いて空間部３０と該空間部に接する第１及び第２パネル１０、２０の内側面及び各リブ４１、４３、４５の接面を２次的にフライス加工して本発明のフレームＦを完成する。
【００３３】
様々な方向から観察したフレームを示す図４、図５及び図６においては、従来の釣り用リールの構造ではフライス加工するしかなかったが、本発明の技術によって旋盤加工で加工された主要部位、すなわち内面取り部１１、２１を格子柄で示して現出しており、
主にこの内面取り部に隣接し、第１乃至第３リブ４１、４３、４５の側面及び第１リブ４１の陥没部４１ａ及び固定孔４１ｂの周りがフライス加工で形成されることを斜線柄で示して現出している。
【００３４】
もちろん、第１及び第２パネルが空間部３０に接する面（旋盤加工の際にチャックに把持された工作物が加工回転軸を中心に回転する状態で各リブの折曲端部ｂの外面、すなわちリセスｒが形成されることのように、折曲端部ｂと第１及び第２パネルとが接する部分が共通に接する仮想の円の内部に位置した面）、および各リブの内面がフライス加工によって形成されるが、この部位は便宜上現出しなかった。
【００３５】
第１及び第２パネル１０、２０の内外面取り部１１、２１、１３、２３の旋盤加工による生産性向上効果やコスト節減効果の他にも、工作物を回転させながら旋盤加工の切削工具を移動、接触させて円形切削加工するので、同心度が向上して高品質の曲面度及び優れた表面質感を得ることができる。
さらに、フライス加工まで経た最終フレームＦにおけるリブの折曲端部ｂすなわちリセスｒにより、釣り用リールＲにおけるパーム（ｐａｌｍ）サイド第１パネル１０に対するグリップ感及び把持安定性まで増大する。
【００３６】
以上の説明において、ベイトリール、トローリングリール、ドラッグパワー調節、スプールのブレーキパワー調節構造などに関連した通常の公知の技術は省略されているが、当業者であれば容易にこれを推測及び推論して再現することができる。
以上、添付図面を参照して、特定の形状及び構造を有する釣り用リール及びフレームを中心に説明したが、本発明は、当業者によって様々な修正、変更及び置換が可能であり、それらの修正、変更及び置換も本発明の保護範囲に属するものと解釈されるべきである。
【符号の説明】
【００３７】
Ｒ            釣り用リール
Ｆ            フレーム
Ｓ            スプール
Ｈ            ハンドル
Ｍ            釣り竿装着部材
Ｌ            ロック部
Ｌ１          スナップボタン
１０、２０    パネル
１１、２１    内面取り部
１３、２３    外面取り部
３０          空間部
４０          連結部
４１、４３、４５  リブ
Ｂ            ボディ
ｂ            折曲端部
ｒ            リセス
【図１】
2016082972.tif 000003
【図２】
2016082972.tif 000004
【図３】
2016082972.tif 000005
【図４】
2016082972.tif 000006
【図５】
2016082972.tif 000007
【図６】
2016082972.tif 000008